(57)【要約】【課題】部品点数の減少、作業性の向上、コスト低減及び成形位置の自由度の向上を図るとともに配線を確実に保持すること。【解決手段】エアコンユニットケースの配線保持構造は、エアコンユニットケース１に一体成形により形成されかつ互いに対向配置された定形部２と変形部３を備えるとともに、変形部３に形成された係止溝部３１に挿入、固着される変形力付与部材（ねじ又は楔状部材）５を備え、変形力付与部材５を変形部３の係止溝部３１に挿入、固着することにより、変形部３が定形部２に向かって撓み、変形部３と定形部２とで配線４を把持するよう構成される。【選択図】図２
2004218778.tif 000002
【特許請求の範囲】
【請求項１】
エアコンユニットケースに一体成形により形成されかつ互いに対向配置された定形部と変形部を備えるとともに、前記変形部に形成された係止溝部に挿入、固着される変形力付与部材を備え、該変形力付与部材を前記変形部の前記係止溝部に挿入、固着することにより、前記変形部が前記定形部に向かって撓み、前記変形部と前記定形部とで紐状部材を把持することを特徴とするエアコンユニットケースの紐状部材保持構造。
【請求項２】
前記変形力付与部材はねじである請求項１記載のエアコンユニットケースの紐状部材保持構造。
【請求項３】
前記変形力付与部材は楔状部材である請求項１記載のエアコンユニットケースの紐状部材保持構造。
【発明の詳細な説明】
【０００１】
【発明の属する技術分野】
本発明は、車両用エアコンのユニットケースに設けられ、ワイヤハーネスなど紐状部材（電線の他、ヒーコンケーブルなどを含む。）を保持するための紐状部材保持構造に関する。
【０００２】
【従来の技術】
車両用エアコンは、ブロワモータなど電装品（電子部品を含む。）を備えており、これら電装品は、外部の電源回路、制御回路などとワイヤハーネスなど紐状部材を介して電気的に接続される。また、エアコンの周囲に、その他の電装品の紐状部材が張り巡らされる場合もある。
【０００３】
したがって、紐状部材を断線等から保護する必要が生じ、紐状部材保護のためにユニットケースに紐状部材保持構造を設け、紐状部材保持構造で紐状部材を保持するようにしている。
【０００４】
図４〜図７に、従来の紐状部材保持構造の例を示す。
【０００５】
図４に示す紐状部材保持構造は、ユニットケース１の外面１ａにボス８を一体に突設するとともに、ユニットケース１とは別体のプレート６上にワイヤハーネスなど紐状部材４をテープ７で固定し、ねじ９をプレート６のねじ挿通孔６ａに通した状態でボス８の孔８ａにねじ込むことによって、紐状部材４をユニットケース１に固定するよう構成される。
【０００６】
図５に示す紐状部材保持構造は、ユニットケース１の外面１ａに係止孔９ａを有するコ字状部９を一体に突設するとともに、ユニットケース１とは別体のプレート６上にワイヤハーネスなど紐状部材４をテープ７で固定し、プレート６の係止爪部６ｂをコ字状部９の係止孔９ａに挿入、係止することによって、紐状部材４をユニットケース１に固定するよう構成される。
【０００７】
図６及び図７に示す紐状部材保持構造は、ユニットケース１の外面１ａに複数の板状部１０又は円柱部１１を一体に突設し、これらの板状部１０又は円柱部１１の間にワイヤハーネスなど紐状部材４を通すことによって、紐状部材４をユニットケース１に固定するよう構成される。
【０００８】
【発明が解決しようとする課題】
しかし、図４及び図５に示した紐状部材保持構造には、ユニットケース１とは別体のプレート６及びテープ７を用いているため、部品点数が多いという問題があるとともに、プレート６上に紐状部材４を載せてテープ７を巻く煩雑な作業が必要でコスト高になるという問題がある。また、図５に示した紐状部材保持構造には、ユニットケース１の成形時にコ字状部９がアンダーカットになるため、スライドコアを用いて成形を行なわなければならず、製造コストが高くなるとともに、ユニットケース１におけるコ字状部９の成形位置がスライドコアが移動できる範囲に限定されることとなり、ユニットケース１の任意の位置にコ字状部９を成形することができないという問題もある。
【０００９】
また、図６及び図７に示した紐状部材保持構造には、単に複数の板状部１０又は円柱部１１で摩擦力によって紐状部材を保持しているため、紐状部材が簡単に外れてしまうという問題がある。
【００１０】
本発明は、上記のような従来の問題点を解決し、部品点数の減少、作業性の向上、コスト低減及び成形位置の自由度の向上を図るとともに紐状部材を確実に保持することができる紐状部材保持構造を提供することを目的とする。
【００１１】
【課題を解決するための手段】
請求項１に係るエアコンユニットケースの紐状部材保持構造は、エアコンユニットケースに一体成形により形成されかつ互いに対向配置された定形部と変形部を備えるとともに、前記変形部に形成された係止溝部に挿入、固着される変形力付与部材を備え、該変形力付与部材を前記変形部の前記係止溝部に挿入、固着することにより、前記変形部が前記定形部に向かって撓み、前記変形部と前記定形部とで紐状部材を把持することを特徴とする。
【００１２】
請求項１に係るエアコンユニットケースの紐状部材保持構造によると、ユニットケースとは別体のプレートを用いておらず、ユニットケースに一体成形された定形部及び変形部と変形力付与部材とから構成されているため部品点数の減少を図ることができる。また、プレート上に紐状部材を載せテープを巻く煩雑な作業を伴わないため、作業性の向上を図ることができる。また、定形部及び変形部はユニットケースの成形時にアンダーカットとならないような形状を与えることができるため、製造コストの低減を図ることができるとともに、定形部及び変形部の成形位置の自由度が向上する。また、変形部の撓みを利用して定形部と変形部とで紐状部材を把持するようにしたため、紐状部材を確実に保持することができる。
【００１３】
前記変形力付与部材は、例えばねじ又は楔状部材である。
【００１４】
【発明の実施の形態】
以下、本発明の実施形態を図面に基づいて説明する。
【００１５】
図１は、本発明の一実施形態に係るエアコンユニットケースの紐状部材保持構造の斜視図、図２は、同紐状部材保持構造により紐状部材を保持させるための作業工程図をそれぞれ示す。
【００１６】
図１及び図２において、１は、エアコンの合成樹脂製ユニットケースの一部を表している。
【００１７】
ユニットケース１の外面１ａには、定形部２と変形部３が互いに対向して一体に成形されている。定形部２及び変形部３は、いずれも、ユニットケース１の成形時に、図１図示矢印ａ方向に型抜きが可能でアンダーカットとならないような形状に構成されている。定形部２は、例えば、型抜き方向ａに対して同一の肉厚をもつ板状又は肉厚が徐々に小さくなっていく板状に形成されている。変形部３は、係止溝部３１を有する円柱状に形成されている。係止溝部３１は、図２（Ａ）に示すように、型抜き方向ａに沿った中心孔部３２を有する。中心孔部３２は、ユニットケース１側の小径長尺孔部３２ａと、非ユニットケース側の大径短尺孔部３２ｂとから構成される。また、係止溝部３１は、中心孔部３２から半径方向かつ定形部２と平行な方向に延びた２つのスリット部３３を有する。
【００１８】
次に、定形部２と変形部３とでワイヤハーネスなど紐状部材４を把持させるための作業工程を図２に基づいて説明する。
【００１９】
まず、図２（Ａ）に示すように、定形部２と変形部３との間に紐状部材４を挿入する。次に、変形部３を変形させるための変形力付与部材としてのねじ５を変形部３の中心孔部３２の小径長尺孔部３２ａにねじ込む。このとき、中心孔部３２は、スリット部３３があるため、ねじ５の進入に従って容易に拡径することができ、変形部３においてスリット部３３から定形部２側に位置する部分３４は定形部２に向かって撓んでゆき、ねじ５のねじ込みが終了した時点では、図２（Ｂ）に示すように、定形部２と変形部３とで紐状部材４を把持するようになる。
【００２０】
図３は、他の実施形態に係る紐状部材保持構造により紐状部材を保持させるための作業工程図を示す。
【００２１】
図３に示す紐状部材保持構造は、変形部３を変形させるための変形力付与部材として楔状部材５を用いる点に特徴を有している。変形部３は、係止溝部３１を有する円柱状又は板状に形成されている。係止溝部３１は、図３（Ａ）に示すように、型抜き方向ａに沿ったスリット部からなる。スリット部３１は、定形部２と平行に形成されている。定形部２は、図１及び図２に図示した定形部２と同様に構成されている。
【００２２】
定形部２と変形部３とでワイヤハーネスなど紐状部材４を把持させるための作業は、まず、図３（Ａ）に示すように、定形部２と変形部３との間に紐状部材４を挿入し、次に、楔状部材５を変形部３のスリット部３１に打ち込む。この楔状部材５の打ち込みにより、スリット部３１は徐々に開き、変形部３においてスリット部３１から定形部２側に位置する部分３４は定形部２に向かって撓んでゆき、楔状部材５の打ち込みが終了した時点では、図３（Ｂ）に示すように、定形部２と変形部３とで紐状部材４を把持するようになる。図３（Ｂ）図示の状態のとき、楔状部材５の抜止め片５ａは変形部３に食い込んでおり、楔状部材５は変形部３に固着される。
【００２３】
以上説明したように、本実施形態に係るエアコンユニットケースの紐状部材保持構造は、エアコンユニットケース１に一体成形により形成されかつ互いに対向配置された定形部２と変形部３を備えるとともに、変形部３に形成された係止溝部３１に挿入、固着される変形力付与部材（ねじ又は楔状部材）５を備え、変形力付与部材５を変形部３の係止溝部３１に挿入、固着することにより、変形部３が定形部２に向かって撓み、変形部３と定形部２とで紐状部材４を把持するよう構成される。したがって、ユニットケース１とは別体のプレート６を用いていないため部品点数の減少を図ることができる。また、プレート６上に紐状部材４を載せテープ７を巻く煩雑な作業を伴わないため、作業性の向上を図ることができる。また、定形部２及び変形部３はユニットケース１の成形時にアンダーカットとならないような形状であるため、スライドコアを用いる必要がなく、製造コストの低減を図ることができるとともに、定形部２及び変形部３の成形位置の自由度が向上する。また、変形部３の撓みを利用して定形部２と変形部３とで紐状部材４を把持するようにしたため、紐状部材４を確実に保持することができる。
【００２４】
【発明の効果】
本発明のエアコンユニットケースの紐状部材保持構造によると、部品点数の減少、作業性の向上、コスト低減及び成形位置の自由度の向上を図るとともに紐状部材を確実に保持することができる。
【図面の簡単な説明】
【図１】本発明の一実施形態に係るエアコンユニットケースの紐状部材保持構造の斜視図である。
【図２】同紐状部材保持構造により紐状部材を保持させるための作業工程図である。
【図３】他の実施形態に係る紐状部材保持構造により紐状部材を保持させるための作業工程図である。
【図４】従来の紐状部材保持構造の斜視図である。
【図５】従来の紐状部材保持構造の斜視図である。
【図６】従来の紐状部材保持構造の斜視図である。
【図７】従来の紐状部材保持構造の斜視図である。
【符号の説明】
１    エアコンユニットケース
２    定形部
３    変形部
３１    係止溝部
４    紐状部材
５    変形力付与部材（ねじ又は楔状部材）
【図１】
2004218778.tif 000003
【図２】
2004218778.tif 000004
【図３】
2004218778.tif 000005
【図４】
2004218778.tif 000006
【図５】
2004218778.tif 000007
【図６】
2004218778.tif 000008
【図７】
2004218778.tif 000009